(57)【要約】【課題】火災時などの暗闇において、消火栓に収納状態にあるときのホースの所在や収納状態を簡単に認識できるようにし、さらに該ホースを消火栓から引き出して使用する際においても、ホースの一部が全長にわたって発光することや投射光に対して反射することにより、該ホースの位置、ホースラインの確認と、消火作業者の消火栓へ帰還ルートの認識を容易にできる消火栓用保形ホースを提供すること。【解決手段】合成繊維からなる経糸と緯糸が筒状に織成されたジャケットの内側面に合成樹脂からなる内張層が設けられ、かつ内径１８〜４１ｍｍの消火栓用保形ホースであって、前記経糸の少なくとも一部として、反射材を糸表面に有する糸と蓄光材を糸表面に有する糸の引揃え糸または交撚糸を用いて織成することにより、該ジャケットの表面にホース長さ方向に延在する反射材部分と蓄光材部分が形成されてなることを特徴とする反射・蓄光性を有する消火栓用保形ホース。【選択図】図１
2015066391.tif 000002
【特許請求の範囲】
【請求項１】
合成繊維からなる経糸と緯糸が筒状に織成されたジャケットの内側面に合成樹脂からなる内張層が設けられ、かつ内径１８〜４１ｍｍの消火栓用保形ホースであって、前記経糸の少なくとも一部として、反射材を糸表面に有する糸と蓄光材を糸表面に有する糸の引揃え糸または交撚糸を用いて織成することにより、該ジャケットの表面にホース長さ方向に延在する反射材部分と蓄光材部分が形成されてなることを特徴とする反射・蓄光性を有する消火栓用保形ホース。
【請求項２】
前記ジャケットの表面にホース長さ方向に延在して形成された反射材部分と蓄光材部分が、ホース長さ方向に延びる反射材と蓄光材からなる一つの線状を形成し、かつ、該線状が２本以上形成されてなることを特徴とする請求項１記載の消火栓用保形ホース。
【請求項３】
前記形成された線状が３本であることを特徴とする請求項２記載の消火栓用保形ホース。
【請求項４】
前記反射材を糸表面に有する糸は、表面に反射材の層が設けられた樹脂フィルムをスリットしたスリットヤーンを含んでいることを特徴とする請求項１〜３のいずれかに記載の反射・蓄光性を有する消火栓用保形ホース。
【請求項５】
前記線状が２本以上であり、各線状の幅が５ｍｍ以上２０ｍｍ以下であることを特徴とする請求項２〜４のいずれかに記載の反射・蓄光性を有する消火栓用保形ホース。
【請求項６】
前記線状が３本であり、各ラインの幅が２．５ｍｍ以上５．５ｍｍ以下であることを特徴とする請求項３に記載の反射・蓄光性を有する消火栓用保形ホース。
【発明の詳細な説明】
【技術分野】
【０００１】
本発明は、消火栓用保形ホースに関し、さらに詳しくは反射・蓄光性を有する消火栓用保形ホースに関する。
【背景技術】
【０００２】
消火栓用の消防ホースとしては、一人で消火栓から引き出して消火活動ができるように常に円形断面を維持するように、経糸にポリエステル紡績糸あるいはフィラメント糸を用い、緯糸にナイロンモノフィラメントを用いて織ったジャケットの内側に樹脂チューブを貼り付けた比較的小径（内径ｄ（図１、図２）：約１８〜４１ｍｍ）の保形ホースがある。
【０００３】
この保形ホースは、通常、屋内消火栓設備として防火対象建物内において消火栓に常時繋がれて設置され、火災発生時には、特に防火対象建物の従業者等による初期消火活動に使用され、より有効な初期消火活動の実施に供されるものである。
保形ホースは、屋内消火栓設備内への格納時において、ホース本体の全体はその断面形状が円形状に保たれており、このため、格納状態から該ホースの全体を取り出さなくても放水を開始することができ、火災発生時には一人でも操作を行って放水できることから、初期消火活動を有効に行うことができるという有用さを有するものであり、この点が消火栓用保形ホースの特徴である。
【０００４】
これに対して、消火栓用のホースであっても、扁平な状態にされてジグザグに屈曲されてあるいはとぐろ状に巻かれて格納されるホース（平ホース）では、放水活動を開始するためには、バルブに繋がれた該ホース全体を取り出して、ホースが屈曲した状態等を呈さないようにして整えて後、通水して放水をすることが必要であり、そのために通常は２人で操作をするものである。
【０００５】
すなわち、平ホースでは、２人でないと有効かつスピーディな操作ができないのであり、初期消火活動の手段として、一人で操作できる保形ホースは有用である。ちなみに、屋内消火栓としての平ホースは内径が通常約４０ｍｍ（呼び径４０）であり、一般的に保形ホースよりも太く放水量も大きい。
【０００６】
上述した通り、保形ホースは、常時、屋内消火栓設備内に収納されており、該屋内消火栓設備は、建屋内の壁面に埋め込まれるように設けられているので、保形ホースの取り出しは、該消火栓設備の普段は閉まっている厚めの頑丈な鉄製扉を開放することにより緊急時のみ行われる。
【０００７】
したがって、通常、保形ホースは光が入ってこない真っ暗闇の中に置かれていることから、光をある程度の時間、照射されることにより光エネルギーを吸収しその蓄えたエネルギーを可視光線に変換することで光を放出する機能を持つ蓄光材を、消火栓用保形ホースに適用するという発想は従来存在しなかった。
【０００８】
一方で、大きなビル、地下街等で消火栓設備を使用して消火活動をしようとするとき、ほとんど真っ暗な状況に近い中で該消火活動をしなければならない場合がある。そうした場合、真っ暗な状況でも消火栓用保形ホースの所在（保管）場所や所在（保管）状況、さらに消火活動中の該ホースの進展状況が瞬時に正確に把握できることは消火活動をする上で有用である。
【０００９】
消火栓設備自体には、常時赤色に大きく点灯している表示灯や、音響により火災を知らせる警報ベルなどが付設されていて消火栓設備の設置場所自体はわかるが、緊急時、実際に消火活動にあたる者にとっては、上述したような暗い状況等でも消火栓ひいては消火栓用保形ホースの所在場所やその保管状況、さらに消火活動開始後は該ホースの進展状況が瞬時に正確に把握できることは極めて有効である。
【００１０】
また、火災が発生していない通常時でも、防火対象建物の従業者等が、常日頃から消火栓用保形ホースの所在（保管）場所や所在（保管）状況を目視することができれば、防火意識を高める上で意義があり、少なくとも、その消火栓設備の前に物を置くなどのことも抑制されると考えられる。
【００１１】
特許文献で先行技術を見てみると、暗い中でもその視認性を上げるために、保形ホースではなく、通常の平たくつぶされて収納される消防用ホースに関するものであるが、反射材と蓄光材の双方を含有する樹脂層を設けることによりホース表面に、ホース長さ方向に延びる縦色線あるいは識別文字や記号等を描くことが提案されている（特許文献１）。
【００１２】
また、消防用ホースに関して、ホース本体のジャケットの外面に避難方向を指示する矢印指標を設けることが開示されており、特に、該矢印指標の視認性を上げるために、該矢印指標を反射材で形成することあるいは夜光塗料を塗布することが提案され、それが保形ホースにも適用できることが記載されている（特許文献２（段落００１９））。
同様に、暗い中での視認性を上げかつ高価な蓄光塗料の使用量を低減するため、反射材料を添加した蓄光塗料を消防用ホースに付与することが提案され、それが保形ホースにも適用できることが記載されている（特許文献３（段落００１２、同００２１））。
【００１３】
しかし、これらの提案のものは、いずれも、保形ホースに適用することを本来の技術本旨とするものではなく、内径の大きな、かつ、つぶされた状態で収納される消防用ホースに関するものであり、径の小さな消火栓用保形ホースに適用することは不向きなものであった。
【００１４】
特に内径が約１８〜４１ｍｍと径の小さな消火栓用保形ホースに対して、ホースを成形した後に、反射材などが含有されたインク塗料（蓄光塗料）をうまく所望の箇所に対して塗布することは難しく、生産性の点や製造コストの点で問題があった。
【先行技術文献】
【特許文献】
【００１５】
【特許文献１】特開２００９−１５０５２２号公報
【特許文献２】特開２００２−１３９１８２号公報
【特許文献３】特開２０００−１４０１４６号公報
【発明の概要】
【発明が解決しようとする課題】
【００１６】
本発明の目的は、火災時などの暗闇において、消火栓に収納状態にあるときのホースの所在や収納状態を簡単に認識できるようにし、さらに該ホースを消火栓から引き出して使用する際においても、ホースの一部が全長にわたって発光することや投射光に対して反射することにより、該ホースの位置、ホースラインの確認と、消火作業者の消火栓へ帰還ルートの認識を容易にできる消火栓用保形ホースを提供することにある。
【課題を解決するための手段】
【００１７】
上述した目的を達成する本発明の消火栓用保形ホースは、以下の（１）の構成を有する。
（１）合成繊維からなる経糸と緯糸が筒状に織成されたジャケットの内側面に合成樹脂からなる内張層が設けられ、かつ内径１８〜４１ｍｍの消火栓用保形ホースであって、前記経糸の少なくとも一部として、反射材を糸表面に有する糸と蓄光材を糸表面に有する糸の引揃え糸または交撚糸を用いて織成することにより、該ジャケットの表面にホース長さ方向に延在する反射材部分と蓄光材部分が形成されてなることを特徴とする反射・蓄光性を有する消火栓用保形ホース。
【００１８】
また、かかる本発明の反射・蓄光性を有する消火栓用保形ホースにおいて、好ましくは、以下の（２）〜（６）のいずれかの構成を有するものである。
（２）前記ジャケットの表面にホース長さ方向に延在して形成された反射材部分と蓄光材部分が、ホース長さ方向に延びる反射材と蓄光材からなる一つの線状を形成し、かつ、該線状が２本以上形成されてなることを特徴とする上記（１）記載の反射・蓄光性を有する消火栓用保形ホース。
（３）前記形成された線状が３本であることを特徴とする上記（２）記載の消火栓用保形ホース。
（４）前記反射材を糸表面に有する糸は、表面に反射材の層が設けられた樹脂フィルムをスリットしたスリットヤーンを含んでいることを特徴とする上記（１）〜（３）のいずれかに記載の反射・蓄光性を有する消火栓用保形ホース。
（５）前記線状が２本以上であり、各線状の幅が５ｍｍ以上２０ｍｍ以下であることを特徴とする上記（２）〜（４）のいずれかに記載の反射・蓄光性を有する消火栓用保形ホース。
（６）前記線状が３本であり、各ラインの幅が２．５ｍｍ以上５．５ｍｍ以下であることを特徴とする上記（３）に記載の反射・蓄光性を有する消火栓用保形ホース。
【発明の効果】
【００１９】
請求項１にかかる本発明の消火栓用保形ホースによれば、消火栓設備内に収納されているときでも、光の照射を受けることが可能なように、消火栓設備の蓋部（消火栓ボックスの蓋（前扉）部）を透明化すること、あるいは消火栓ボックス内に常時発光する発光体を設置しておくこと、あるいは消火栓に付設され常時点灯している表示灯の光を消火栓ボックス内に導くこと等により、火災発生などの緊急時において、暗闇の中にあっても、消火栓設備内で収納状態にあるときのホースの所在や収納状態をその蓄光材の発光や投射光に対する反射光により簡単に認識できる。さらに該ホースを消火栓から引き出して使用する際においても、ホースの一部が全長にわたって発光することや投射光に対して反射することにより、該ホースの位置、ホースラインの確認が容易であり、また消火栓付近への帰還路（退路）の認識も容易にできる。
【００２０】
したがって、消火活動の開始や火災現場からの退却等を、より迅速にかつ的確に行うことを可能にし、ひいては消火活動をする者の安全確保につながる。
【００２１】
特に、消火栓設備の蓋部（消火栓ボックスの蓋部）を透明化することは、緊急時以外などでも、内部のある本発明にかかる保形ホースが観る者に常時視認されることで、消火栓設備の前に物を置かないなど、消火栓設備に対する意識の向上を通じて防火意識を高めることにつながるものでもあり有意義である。
【００２２】
特に、請求項２〜請求項６のうちのいずれかにかかる本発明の消火栓用保形ホースによれば、上述した請求項１にかかる本発明の効果をより明確かつより大きく発揮することができる消火栓用保形ホースが提供される。
【図面の簡単な説明】
【００２３】
【図１】本発明にかかる反射・蓄光性を有する消火栓用保形ホースの一実施態様例を示す斜視図である。
【図２】本発明にかかる反射・蓄光性を有する消火栓用保形ホースの他の実施態様例を示す斜視図である。
【図３】（ａ）、（ｂ）は、本発明で経糸として用いることができる反射材を糸表面に有する糸と蓄光材を糸表面に有する糸の引揃え糸と交撚糸をモデル的に示したものであり、（ａ）が引揃え糸、（ｂ）が交撚糸である。
【図４】本発明にかかる反射・蓄光性を有する消火栓用保形ホースを消火栓ボックス内に収納した状態を示した斜視図であり、蓋部（前扉）を除いた状態で描いたものである。
【発明を実施するための形態】
【００２４】
以下、更に詳しく本発明の反射・蓄光性を有する消火栓用保形ホースについて説明する。
【００２５】
本発明の反射・蓄光性を有する消火栓用保形ホース１は、図１、図２にその構造の概略を示したように、合成繊維からなる経糸と緯糸が筒状に織成されたジャケット２の内側面に合成樹脂からなる内張層３が設けられ、かつ内径１８〜４１ｍｍの消火栓用保形ホースであって、該経糸の少なくとも一部として、反射材を糸表面に有する糸４と蓄光材を糸表面に有する糸５の引揃え糸または交撚糸を用いて織成することにより、該ジャケットの表面にホース長さ方向に延在する反射材部分と蓄光材部分が形成されてなることを特徴とする。
【００２６】
ここで、引揃え糸とは、図３（ａ）に示したように２本もしくはそれ以上の本数の糸を引き揃えて、１本の織り糸として糸道（具体的には、織機の機構により相違し、ヘルドあるいはガイドなど）に通すものをいい、または交撚糸とは図３（ｂ）に示したように２本もしくはそれ以上の本数の糸を撚り合わせて、１本の織り糸として上記糸道に通すものをいう。
【００２７】
本発明にかかる反射・蓄光性を有する消火栓用保形ホース１は、図４に収納時の状態をモデル的に示したように、保形ホース１として、すなわち扁平化されることなく、円筒状形態を維持したまま、リール状もしくはとぐろ状に巻かれて消火栓ボックス１０内に収納される。
【００２８】
図４において、１１は消火栓バルブ、１２は放水時の水先となる保形ホースノズルである。１３はホース収納支持棒であり、消火活動時には上方に回動されて保形ホース１を引き出すことが可能にされる。また、図４では、説明の便宜上、通常は存在する消火栓ボックスの蓋部（前扉）を描いておらず、蓋部（前扉）を取り外して状態で内部を描いている。
【００２９】
本発明にかかる反射・蓄光性を有する消火栓用保形ホース１は、ジャケットをなす経糸の少なくとも一部として、反射材を糸表面に有する糸４と蓄光材を糸表面に有する糸５の引揃え糸または交撚糸を用いて織成されていることにより、該ジャケットの表面にホース長さ方向に延在する反射材部分と蓄光材部分が形成されており、この反射材部分と蓄光材部分が光の照射を受けると、それぞれ反射機能と蓄光・発光機能を発揮することとなる。反射機能は、再帰反射型の反射であることが好ましい。
【００３０】
反射材を糸表面に有する糸４と蓄光材を糸表面に有する糸５は、引揃え糸または交撚糸として経糸に使用されるため、反射材と蓄光材の部分は、隣接して集合したものとして視認され、一つの線状を形成することとなり、視認のされやすさが向上する。
【００３１】
本発明にかかる反射・蓄光性を有する消火栓用保形ホースは、ジャケット２の表面に、ホース長さ方向に連続的（引揃え糸の場合）にあるいは断続的（交撚糸の場合）に延在する蓄光材部分を有しており、この蓄光材部分を有効に機能させることができるように、消火栓ボックス１０内に収納されているときに、常時、該蓄光材部分にある程度光が当たるようにして消火栓設備を構成することが重要である。そのためには、従来の消火栓設備では不十分であり、たとえば、
（１）消火栓ボックスの蓋部（前扉）（図示せず）の主要部を透明な材料、例えば、透明な強化ガラスなどで形成し、消火栓ボックス外の光が消火栓ボックス内まで届くように構成して、少なくとも、消火栓ボックス外が明るいときは蓄光材ライン７にも光が当たるように構成する、
あるいは、
（２）消火栓の所在地を示すために常時点灯がされている消火栓表示灯の光を消火栓ボックス内まで届くように構成して、常時、蓄光材ライン７に光が当たるように構成する、
あるいは、
（３）消火栓ボックスの内部に、専用のボックス内部照明灯を常時設置し、該ボックス内部照明灯の光が、常時、蓄光材ライン７に当たるように構成する、
などの手段を一つまたは複数組み合わせて採用することが重要である。
【００３２】
また、本発明にかかる反射・蓄光性を有する消火栓用保形ホース１は、ジャケット２の表面にホース長さ方向に連続的（引揃え糸の場合）にあるいは断続的（交撚糸の場合）延在する反射材部分を有しており、該保形ホースが光を照射されたとき、その光を反射して該ホースの状態、位置等の情報を、消火活動者等に知らせることができる。
【００３３】
本発明の消火栓用保形ホースは、上述のように消火栓設備と組み合わされて構成されることにより、火災発生などの緊急時において、暗闇の中にあっても、透明な前扉を通じてあるいは、前扉を開けることにより、消火栓ボックス内において収納状態にあるホースの所在や収納状態をその蓄光材の発光、および照射光に対する反射光により簡単に認識できる。さらに該ホースを消火栓設備から引き出して使用する際においても、ホースの一部が全長にわたって発光することや照射光に対して反射することにより、該ホースの位置、ホースラインの確認が容易にでき、また、消火栓付近への帰還路（退路）の認識が容易にできる。したがって、消火活動および消火現場からの退却などをより迅速にかつ的確に行うことを可能にし、ひいては消火活動をする者の安全確保につながる。
【００３４】
上述したように、保形ホースとして断面が円筒状を保ったまま、消火栓ボックス内で蓄光材が光りの照射を有効に受けるために、ホース長さ方向に延在する反射材部分と蓄光材部分が形成する線状６、７は１本だけ設けるのでは不十分な場合も考えられ、一方向からの光照射であっても有効な光照射となるように、それぞれが互いに間隔をおいて配されている２本以上の線状６、７を設けること、好ましくは３本以上の線状６、７を設けることが重要である。特に、２本設けるときはホース横断面の中心点を対称中心にして点対称の位置に設けることが重要である。
【００３５】
各線状６、７の幅は、２本以上のときは５ｍｍ以上２０ｍｍ以下であることが好ましい。特に、２本の場合で、点対称的にそれら２本の線状が存在する態様のときはその真横の一方向から光照射をしたときなどでは、線状の幅が小さい場合には、光照射の効果が高い効果のもとで得られないケースも考えられ、各ラインの幅は５ｍｍ以上２０ｍｍ以下と比較的大きい場合に大きな効果が得られるからである。
【００３６】
あるいは、線状６、７が３本以上であるときは、各線状の幅が２．５ｍｍ以上６．５ｍｍ以下であることが最も好ましい。３本以上の場合には、一方向からの照射であっても、必ず線状の１本は高い光照射効果が得られるので、幅は小さめにしてもよいのである。
【００３７】
また、あるいは、反射材を糸表面に有する糸４と蓄光材を糸表面に有する糸５の引揃え糸または交撚糸をホースの全周に亘って使用してもよい。その際、全周に亘りあるいは適宜に部分的に、通常の経糸と混在させて使用をしてもよい。
【００３８】
ホースの内径（ｄ）は、消火栓設備として定められている範囲もあり、本発明では１８ｍｍ以上４１ｍｍ以下のもので構成することが良好な効果が得られる点で好ましい。
【００３９】
ジャケットの編成に使用される経糸（ジャケットの地部をなす経糸）としては、合成繊維からなる紡績糸あるいはマルチフィラメント糸を用いることが、強度、寸法安定性、生産性など総合的に優れていることから重要である。例えば、ポリエステル紡績糸、ポリエステルマルチフィラメント糸である。
【００４０】
同じく、緯糸は、円筒状を維持し、保形性能を保つために太めの合成繊維モノフィラメント糸を使用することが好ましく、直径で０．８〜１．３ｍｍ程度のナイロンモノフィラメント糸、あるいはポリエステルモノフィラメント糸などが好適に使用できる。
【００４１】
反射材を糸表面に有する糸は、少なくとも樹脂フィルムの表面に反射材の層が設けられたものを含んでいることが好ましい。
【００４２】
例えば、反射材としてのガラスビーズを、ウレタン樹脂をバインダーにしてポリエステルフィルムに塗布した反射材（ガラスビーズ等）含有樹脂ポリエステルコートフィルム、あるいは、ポリエステルフィルムの表面に反射材たる金属（例えば、アルミニウムなど）を蒸着した金属被覆ポリエステルフィルムを、１ｍｍ幅などにスリットした所謂スリットヤーンを複数本撚り合わせて、さらにその撚り合わせ糸とポリエステル紡績糸の適宜本数を撚り合わせて、該撚り合わせ糸を１本の糸として用いることなどがホース全体の強度等の機械的特性を落とすことがほとんどなく好ましい。そうした構造の糸の場合、反射材としての、ガラスビーズあるいは金属は撚り合わせ状態に応じて、経糸の表面の一部にほぼ連続的に露出している。
【００４３】
蓄光材を糸表面に有する糸は、たとえば、原料段階で、蓄光材をポリエステルに練り込んで溶融紡糸したポリエステル繊維を短繊維化した蓄光材含有ポリエステル原綿を使用して紡績糸を作り、さらに、その蓄光材含有紡績糸とポリエステル紡績糸の適宜本数を撚り合わせて、１本の糸として用いることなどがホース全体の強度等の機械的特性を落とすことがほとんどなく好ましい。そうした構造の糸の場合、蓄光材は撚り合わせ状態に応じて、経糸の表面にほぼ連続的に該経糸の一部として露出している。
【００４４】
ジャケット２の内側面に設けられる合成樹脂からなる内張層は、従来から用いられているウレタン系樹脂あるいは塩化ビニール系樹脂製などの樹脂チューブを用いて、ジャケット内周面に内貼りして設ければよい。
【符号の説明】
【００４５】
１：保形ホース
２：ジャケット
３：内張層
４：反射材を糸表面に有する糸
５：蓄光材を糸表面に有する糸
６：線状
７：線状
１０：消火栓ボックス
１１：消火栓バルブ
１２：保形ホースノズル
１３：ホース収納支持棒
【図１】
2015066391.tif 000003
【図２】
2015066391.tif 000004
【図３】
2015066391.tif 000005
【図４】
2015066391.tif 000006